(57)【特許請求の範囲】
【請求項１】
安全弁と、前記安全弁に直列に接続されたコンデンサと、前記コンデンサに並列に接続された抵抗と、前記抵抗にコモン接点側が直列に接続されＡ接点側を介して前記安全弁に並列に接続された１Ｃ接点を有し且つガスコックの開閉に連動するコックスイッチと、前記コックスイッチのＢ接点側と直列に接続されたスイッチング素子と、前記スイッチング素子に直列に接続された前記コンデンサに充電するための電源で構成され、前記スイッチング素子で、前記コンデンサに充電するための電源をオフにする事により、前記コンデンサへの充電を停止させ、前記安全弁の吸着動作を不可能にするガス調理機器の安全装置。
【請求項２】
安全弁と、前記安全弁に接続されて前記安全弁に電流を流すための吸着回路と、前記吸着回路を所定時間駆動させるためのＣＲ充電回路と、前記ＣＲ充電回路の抵抗に並列に接続されたスイッチング素子と、前記ＣＲ充電回路に接続されて且つたガスコックの開閉に連動するコックスイッチと、前記吸着回路と前記ＣＲ充電回路を動作させる電源で構成され、前記スイッチング素子で前記ＣＲ充電回路の抵抗を短絡し、前記ＣＲ充電回路のコンデンサに充電を行い、前記ＣＲ充電回路の時定数機能を停止させ、前記吸着回路による前記安全弁の吸着動作を不可能にするガス調理機器の安全装置。
【請求項３】
安全弁と、前記安全弁に接続された前記安全弁に電流を流すための吸着回路と、前記吸着回路を所定時間駆動させるためのＣＲ放電回路と、前記ＣＲ放電回路の抵抗に並列に接続されたスイッチング素子と、前記ＣＲ放電回路に接続されて且つガスコックの開閉に連動するコックスイッチと、前記吸着回路と前記ＣＲ放電回路を動作させる電源で構成され、前記スイッチング素子で前記ＣＲ放電回路の抵抗を短絡し、前記ＣＲ放電回路のコンデンサの放電を行い、前記ＣＲ放電回路の時定数機能を停止させ、前記吸着回路による前記安全弁の吸着動作を不可能にするガス調理機器の安全装置。
【請求項４】
点火器と、前記点火器に直列に接続されて且つガスコックの開閉に連動するコックスイッチと、前記コックスイッチに直列に接続されたスイッチング素子と、前記スイッチング素子を介して前記点火器を動作させる電源で構成され、前記スイッチング素子で前記電源をオフにする事により、点火器の放電機能を停止させるガス調理機器の安全装置。
【請求項５】
点火器と、前記点火器に直列に接続されて且つガスコックの開閉に連動するコックスイッチと、前記コックスイッチに直列に接続された前記点火器への電源供給回路と、前記電源供給回路を所定時間駆動させるためのＣＲ充電回路と、前記ＣＲ充電回路の抵抗に並列に接続されたスイッチング素子と、前記電源供給回路を介して点火器を動作させる電源で構成され、前記スイッチング素子で前記ＣＲ充電回路の抵抗を短絡し、前記ＣＲ充電回路のコンデンサに充電を行い、前記ＣＲ充電回路の時定数機能を停止し、前記電源供給回路による点火器の放電機能を不可能にするガス調理機器の安全装置。
【請求項６】
点火器と、前記点火器に直列に接続されて且つガスコックの開閉に連動するコックスイッチと、前記コックスイッチに直列に接続された前記点火器への電源供給回路と、前記電源供給回路を時間制御するＣＲ放電回路と、前記ＣＲ放電回路の抵抗に並列に接続されたスイッチング素子と、前記電源供給回路を介して点火器を動作させる電源で構成され、前記スイッチング素子で前記ＣＲ放電回路の抵抗を短絡し、前記ＣＲ放電回路のコンデンサの放電を行い、前記ＣＲ放電回路の時定数機能を停止し、前記電源供給回路による点火器の放電機能を不可能にするガス調理機器の安全装置。
【発明の詳細な説明】
【０００１】
【産業上の利用分野】
本発明はガス調理器具における安全装置に関するものである。
【０００２】
【従来の技術】
従来より幼児等の無意識による操作を防止する装置（以下チャイルドロック装置と称する）は機械的な構造であり、ガスコックの開閉に連動するコックスイッチ（以下コックスイッチと称する）をオフ状態で物理的に拘束し、コックスイッチのオン操作が不可能な構造だったが、構造上チャイルドロック装置はコックスイッチの近傍にしか設置できないものであり、複雑な組立、調整等課題も多かった。
【０００３】
以下従来のチャイルドロックについて図３、図４を用いて説明する。
図３はチャイルドロック装置１４がアンロック状態であり、コツクスイッチ４をコックスイッチ４のオン方向１６へ押すと、コックスイッチ４の片５はチャイルドロック装置１４の片１８に当たることなる状態１７まで移動し、安全弁が開弁し、点火器が放電し、着火する。
【０００４】
図４はチャイルドロック装置１４がロック状態であり、チャイルドロック装置１４の片１８がコックスイッチ４の片１５とが重なり合っているため、コックスイッチ４がコックスイッチのオン方向１６へ押されてもオフ状態を維持する。
【０００５】
従って安全弁は閉弁状態を維持し、点火器は放電しないようになっていた。
【０００６】
【発明が解決しようとする課題】
しかしながら、前記従来の技術で記したチャイルドロック装置１４では、コックスイッチ４オン後もチャイルドロック装置１４のロックは可能であり、コックスイッチオン状態１７でロックすると今度はコックスイッチ４がオフ不可能となり、異常時の消火等が速やかに行えないという安全性にかける欠点があった。
【０００７】
また機械的なチャイルドロック装置１４は機構的にコックスイッチ４の近傍にチャイルドロックスイッチ７を設置するため、幼児等にも容易にロック解除が可能で、従来のチャイルドロック機能としての役割を完全に果たしていなかった。
【０００８】
また機械的なチャイルドロック装置１４は機構的に複雑な物もあり、組立、調整等も容易ではなくコスト的にも不経済であった。
【０００９】
そこで本発明は、上記従来の欠点を解決するもので、安全性を第１の目的とし、経済的に構成することを第２の目的とするチャイルドロック装置を提供するものである。
【００１０】
【課題を解決するための手段】
上記課題を解決するために本発明のチャイルドロック装置は、安全弁と、前記安全弁に直列に接続されたコンデンサと、前記コンデンサに並列に接続された抵抗と、前記抵抗にコモン接点側が直列に接続されＡ接点側を介して前記安全弁に並列に接続された１Ｃ接点のコックスイッチと、前記コックスイッチのＢ接点側と直列に接続されたスイッチング素子と、前記スイッチング素子に直列に接続された前記コンデンサに充電するための電源で構成され、前記スイッチング素子で、前記コンデンサに充電するための電源をオフにする事により、前記コンデンサへの充電を停止させ、前記安全弁の吸着動作を不可能にする構成としたものである。
【００１１】
また安全弁と、前記安全弁に接続されて前記安全弁に電流を流すための吸着回路と、前記吸着回路を所定時間駆動させるためのＣＲ充電回路と、前記ＣＲ充電回路の抵抗に並列に接続されたスイッチング素子と、前記ＣＲ充電回路に接続されたコックスイッチと、前記吸着回路と前記ＣＲ充電回路を動作させる電源で構成され、前記スイッチング素子で前記ＣＲ充電回路の抵抗を短絡する事により、前記ＣＲ充電回路のコンデンサに充電を行い、前記ＣＲ充電回路の時定数機能を停止させ、前記吸着回路による前記安全弁の吸着動作を不可能にする構成としたものもある。
【００１２】
また安全弁と、前記安全弁に接続された前記安全弁に電流を流すための吸着回路と、前記吸着回路を所定時間駆動させるためのＣＲ放電回路と、前記ＣＲ放電回路の抵抗に並列に接続されたスイッチング素子と、前記ＣＲ放電回路に接続されたコックスイッチと、前記吸着回路と前記ＣＲ放電回路を動作させる電源で構成され、前記スイッチング素子で前記ＣＲ放電回路の抵抗を短絡する事により、前記ＣＲ放電回路のコンデンサの放電を行い、前記ＣＲ放電回路の時定数機能を停止させ、前記吸着回路による前記安全弁の吸着動作を不可能にする構成としたものもある。
【００１３】
また点火回路は点火器と、前記点火器に直列に接続されたコックスイッチと、前記コックスイッチに直列に接続されたスイッチング素子と、前記スイッチング素子を介して前記点火器を動作させる電源で構成され、前記スイッチング素子で前記電源をオフにする事により、点火器の放電機能を停止させる構成とする。
【００１４】
また点火器と、前記点火器に直列に接続されたコックスイッチと、前記コックスイッチに直列に接続された前記点火器への電源供給回路と、前記電源供給回路を所定時間駆動させるためのＣＲ充電回路と、前記ＣＲ充電回路の抵抗に並列に接続されたスイッチング素子と、前記電源供給回路を介して点火器を動作させる電源で構成され、前記スイッチング素子で前記ＣＲ充電回路の抵抗を短絡する事より、前記ＣＲ充電回路のコンデンサに充電を行い、前記ＣＲ充電回路の時定数機能を停止し、前記電源供給回路による点火器の放電機能を不可能にする構成としたものもある。
【００１５】
また点火器と、前記点火器に直列に接続されたコックスイッチと、前記コックスイッチに直列に接続された前記点火器への電源供給回路と、前記電源供給回路を時間制御するＣＲ放電回路と、前記ＣＲ放電回路の抵抗に並列に接続されたスイッチング素子と、前記電源供給回路を介して点火器を動作させる電源で構成され、前記スイッチング素子で前記ＣＲ放電回路の抵抗を短絡する事より、前記ＣＲ放電回路のコンデンサの放電を行い、前記ＣＲ放電回路の時定数機能を停止し、前記電源供給回路による点火器の放電機能を不可能にする構成としたものもある。
【００１６】
【作用】
本発明は上記した構成により、安全弁の開成をコンデンサの充電電荷によって行うか、あるいはＣＲ充電または放電特性を利用して行うかしている。
【００１７】
安全弁吸着回路は電源によって常時コンデンサに充電し、且つ安全弁は開成している状態で、点火時にはコックスイッチを操作することで安全弁の開成をコンデンサに蓄えられた電荷によって所定時間の間保持される。一方スイッチング素子をオフにすることでコンデンサへの充電が停止しコックスイッチを操作しても安全弁は開成せずチャイルドロックができる。
【００１８】
また別の安全弁吸着回路はＣＲ充電または放電特性を利用して所定時間安全弁に電流を流しこれを開成する。またＣＲ回路の抵抗を短絡するスイッチング素子を操作することにより時定数機能が停止されるためコンデンサ、安全弁電源の直列回路になり、安全弁には電流が流れずこのスイッチング素子がチャイルドロックスイッチの役目をする。
【００１９】
また点火回路は、点火回路に直列に入れたスイッチング素子で回路を切断することにより点火動作を停止する。
【００２０】
またＣＲ充電または放電特性を利用して所定時間点火器に電流を流し放電する場合においても上記同様にＣＲ回路の抵抗を短絡するスイッチング素子を操作することにより時定数機能が停止されるため点火器の放電機能が停止するためこのスイッチング素子がチィルドロックスイッチの役目をする。
【００２１】
【実施例】
以下本発明の実施例を添付図面とともに説明する。
【００２２】
以下、本発明の実施例を添付図面にもとづいて説明する。
図１において、１は電源、２は安全弁、３は着火した後火災の熱によって安全弁の吸着電力を発生する熱伝対、４はガスコックの開閉に連動するコックスイッチ、６はコンデンサ、７はチャイルドロックスイッチ、８は抵抗である。
【００２３】
図１はガス調理機器の点火前の状態を示す。電源１からチャイルドロックスイッチ７とコックスイッチ４のＢ接点側を介してコンデンサ６に充電されている。ガス調理機器の点火時には、ガスコックを開くとこれと連動したコックスイッチ４がＡ接点側に切り換わり電源との接続は切断されるが、コンデンサ６に充電されている電荷で安全弁２に電流が流れ、弁は開成状態が保持されガスが流出し、別に設けた点火手段によって着火し着火後は熱伝対３の熱起電力によって安全弁は開成状態を保持する。
【００２４】
チャイルドロックスイッチ７をロック状態すなわちオフ状態にすると、コンデンサ６への充電がなくなりコックスイッチ４がＡ接点側に切り換わっても安全弁２へは電流は流れず弁は閉止しているためガスの流出はない。従って着火もしない。
【００２５】
以上示すようにスイッチで着火を阻止できるチャイルドロックが実現できるため、チャイルドロック装置の設定場所の制限はなく組み立て作業も容易になる。
【００２６】
次に他の実施例として点火装置とも組み合わせたチャイルドロック装置の実施例を説明する。図２において、１は電源、２は安全弁、３は着火した後火災の熱によって安全弁の吸着電力を発生する熱伝対、４はガスコックの開閉に連動するコックスイッチである。またＰＮＰトランジスタ５、ＮＰＮトランジスタ９、電流制限抵抗１１で吸着回路、コンデンサ６、抵抗８でＣＲ放電回路を構成する。また、ＮＰＮトランジスタ９、点火器１０で電源供給回路を構成している。７に示すスイッチング素子はチャイルドロックスイッチである。また矢印１２は回路を流れる電流方向を示す。
【００２７】
図２のコツクスイッチ４をオンすると、安全弁２を介して電流１２が流れ、コンデンサ６と抵抗８によるＣＲ放電回路が働き、ＮＰＮトランジスタ９がオン状態となる。前記ＮＰＮトランジスタ９がオン状態になると点火器１０がオン状態となり放電開始する。また前記ＮＰＮトランジスタ９がオン状態になるとＰＮＰトランジスタ５がオン状態となり、安全弁吸着回路が構成され、前記安全弁吸着回路による安全弁２の吸着が開始され、ガスが流出する。
【００２８】
コンデンサ６と抵抗８によるＣＲ放電回路の放電が、ＮＰＮトランジスタ９のオフのしきい値まで放電すると、前記ＮＰＮトランジスタ９はオフ状態となる。前記ＮＰＮトランジスタ９がオフ状態になると点火器１０がオフ状態となり放電停止する。また前記ＮＰＮトランジスタ９がオフ状態になるとＰＮＰトランジスタ５がオフ状態となり、安全弁吸着回路が解除され、前記安全弁吸着回路による安全弁２の吸着が停止する。
【００２９】
着火後は熱電対３からの熱起電力により安全弁２は吸着される。失火後は熱電対３からの熱起電力なくなり、前記安全弁２の吸着も解除され、前記安全弁２は閉状態となりガスの流出も停止する。以上が本発明回路の基本動作である。
【００３０】
尚、図２のコンデンサ６の位置に抵抗を接続し、前記抵抗と並列にチャイルドロックスイッチ７を接続し、抵抗８の位置にコンデンサを接続すればＣＲ充電回路が構成され、ＮＰＮトランジスタ９をＰＮＰトランジスタに変更すれば、前記ＣＲ充電回路による点火器１０の駆動、及び安全弁吸着回路が構成可能である。
【００３１】
前記本発明回路のコンデンサ６と抵抗８によるＣＲ放電回路の抵抗６と並列に設けてあるチャイルドロックスイッチ７をオンし、抵抗８を短絡状態すると、コックスイッチ４がオンされても瞬時に前記コンデンサ６は放電され、ＮＰＮトランジスタ９がオフ状態を維持。前記ＮＰＮトランジスタ９がオフ状態では点火器１０がオフ状態。また前記ＮＰＮトランジスタ９がオフ状態ではＰＮＰトランジスタ５がオフ状態であり、安全弁吸着回路が構成されない。
【００３２】
従って、前記点火器１０は放電しない、前記安全弁吸着回路は構成されないため前記安全弁２も閉状態であり、ガスも流出しない。着火もしない。
【００３３】
このチャイルドロック装置によれば、コックスイッチオン後もロック可能であるが、チャイルドロックスイッチの状態に係わらず、コックスイッチの操作が可能となり、異常時の消化等も速やかに行える。
【００３４】
また機械的なチャイルドロック装置とは異なり、複雑な組立、調節等も必要なくコスト的にも経済的であり、チャイルドロックスイッチの位置も規制されないため、幼児等にも容易にロック解除が行えない位置に設置可能であり、従来のチャイルドロック機能としての役割を果たす事ができる。
【００３５】
また時定数機能を用いた点火器の電源供給回路においては、電源供給回路及びＣＲ充電回路またはＣＲ放電回路の電源をオフにするだけではチャイルドロック装置ロック後コックスイッチをオンにし、その後チャイルドロック装置を解除すればＣＲ充電回路またはＣＲ放電回路が働き、電源供給回路が駆動し、点火器の放電が開始され、着火の危険性がある。しかしＣＲ充電回路及びＣＲ放電回路の抵抗をスイッチング素子で短絡する方式により瞬時にコンデンサの充電及び放電を行うので、チャイルドロック装置ロック後コックスイッチをオンにし、その後チャイルドロック装置を解除しても点火器の放電は行われない。従って、着火の危険性もない。
【００３６】
【発明の効果】
以上のように本発明のチャイルドロック装置によれば、次の効果が得られる。
【００３７】
（１）本発明のチャイルドロック装置は、低コストにより実現が可能なため、低コストのガス調理機器でも搭載可能で、ガス調理機器の安全性が、全体的に向上する。
【００３８】
（２）本発明のチャイルドロック装置は、コックスイッチオン後もロック可能であるが、チャイルドロックスイッチの状態に係わらず、コックスイッチの操作が可能となり、異常時の消火等も速やかに行える。
【００３９】
（３）本発明のチャイルドロック装置は、機械的なチャイルドロック装置と異なり複雑な組立、調整等も必要ない。
【００４０】
（４）本発明のチャイルドロック装置は、チャイルドロックスイッチの位置も規制されないため、  幼児等にも容易にロック解除が行えない位置に設置可能であり、従来のチャイルドロック機能としての役割を果たす事ができる。
【００４１】
（５）時定数機能を用いた点火器の電源供給回路においては、電源供給回路及びＣＲ充電回路またはＣＲ放電回路の電源をオフにするだけでは、チャイルドロック装置ロック後コックスイッチをオンにし、その後チャイルドロック装置を解除すればＣＲ充電回路またはＣＲ放電回路が働き、電源供給回路が駆動し、点火器の放電が開始され、着火の危険性がある。しかしＣＲ充電回路及びＣＲ放電回路の抵抗をスイッチング素子で短絡する方式により瞬時にコンデンサの充電及び放電を行うので、チャイルドロック装置ロック後コックスイッチをオンにし、その後チャイルドロック装置を解除しても点火器の放電は行われない。従って、着火の危険性もなく、安全性が向上する。
【図面の簡単な説明】
【図１】本発明の実施例におけるチャイルドロック装置を示す概略回路図
【図２】本発明の他の実施例におけるチャイルドロック装置を示す概略回路図
【図３】従来のチャイルドロック装置を示す説明図
【図４】従来のチャイルドロック装置を示す説明図
【符号の説明】
１  電源
２  安全弁
３  熱電対
４  コックスイッチ
５  ＰＮＰトランジスタ
６  コンデンサ
７  チャイルドロックスイッチ
８  抵抗
９  ＮＰＮトランジスタ
１０  点火器
【図１】
0003552242.tif 000002
【図２】
0003552242.tif 000003
【図３】
0003552242.tif 000004
【図４】
0003552242.tif 000005